【手続補正書】
【提出日】平成27年1月21日(2015.1.21)
【手続補正１】
【補正対象書類名】特許請求の範囲
【補正対象項目名】全文
【補正方法】変更
【補正の内容】
【特許請求の範囲】
【請求項１】
複数の発光ブロックを有するバックライトと、
入力する画像データに応じてバックライトからの照射光の透過率を画素毎に変更することで画像データに基づく画像を表示する表示パネルと、
前記バックライトの複数の位置における温度を測定する複数の温度測定手段と、
前記複数の温度測定手段による測定結果に基づき、キャリブレーション用のパッチ画像を表示するためのパッチ画像表示領域を設定する設定手段と、
前記設定手段により設定されたパッチ画像表示領域に表示するパッチ画像を生成する生成手段と、
前記生成手段により生成されたパッチ画像を表示した場合における、前記表示パネルの輝度又は色度を測定するパネル測定手段による測定結果に基づき、前記表示パネルのキャリブレーションを行うキャリブレーション手段と、
を有ることを特徴とする画像表示装置。
【請求項２】
前記設定手段は、前記複数の温度測定手段による測定結果に基づき、所定期間内の温度変化の大きさが閾値より小さい発光ブロックに対応する表示パネル内の領域に、前記キャリブレーション用のパッチ画像を表示するためのパッチ画像表示領域を設定する請求項１に記載の画像表示装置。
【請求項３】
前記設定手段は、前記複数の温度測定手段による測定結果に基づき、所定の基準温度との差異が閾値より小さい発光ブロックに対応する表示パネル内の領域に、前記キャリブレーション用のパッチ画像を表示するためのパッチ画像表示領域を設定する請求項１に記載の画像表示装置。
【請求項４】
前記設定手段は、前記パネル測定手段による予め定められた測定対象領域に含まれる領域内に、キャリブレーション用のパッチ画像を表示するためのパッチ画像表示領域を設定する請求項１〜３のいずれか１項に記載の画像表示装置。
【請求項５】
前記設定手段は、表示パネルの中央部に近い所定領域内にパッチ画像表示領域を設定する請求項１〜３のいずれか１項に記載の画像表示装置。
【請求項６】
前記生成手段は、前記設定手段により設定されたパッチ画像表示領域の大きさに応じて、生成するパッチ画像の大きさを調整する請求項１〜５のいずれか１項に記載の画像表示装置。
【請求項７】
前記複数の発光ブロックの各々の発光強度を調整する発光強度調整手段と、
所定期間内の温度変化の大きさが閾値以上の発光ブロックを特定する特定手段と、
を備え、
前記発光強度調整手段は、前記キャリブレーション手段によるキャリブレーションの実行時に、前記特定手段により特定された発光ブロックの温度と基準温度との差異が小さくなるように、当該発光ブロックの発光強度を調整する請求項２に記載の画像表示装置。
【請求項８】
前記複数の発光ブロックの各々の発光強度を調整する発光強度調整手段と、
前記温度測定手段により測定される温度と基準温度との差異が閾値以上の発光ブロックを特定する特定手段と、
を備え、
前記発光強度調整手段は、前記キャリブレーション手段によるキャリブレーションの実行時に、前記特定手段により特定された発光ブロックの温度と基準温度との差異が小さくなるように、当該発光ブロックの発光強度を調整する請求項３に記載の画像表示装置。
【請求項９】
複数の発光ブロックを有するバックライトと、
入力する画像データに応じてバックライトからの照射光の透過率を画素毎に変更することで画像データに基づく画像を表示する表示パネルと、
を有する画像表示装置の制御方法であって、
前記バックライトの複数の位置における温度を取得する温度取得ステップと、
前記取得ステップで取得された温度に基づき、キャリブレーション用のパッチ画像を表示するためのパッチ画像表示領域を設定する設定ステップと、
前記設定されたパッチ画像表示領域に表示するパッチ画像を生成する生成ステップと、
前記生成ステップで生成されたパッチ画像を表示した場合における、前記表示パネルの輝度又は色度を測定するパネル測定手段による測定結果に基づき、前記表示パネルのキャリブレーションを行うキャリブレーションステップと、
を有することを特徴とする画像表示装置の制御方法。
【請求項１０】
前記設定ステップでは、前記温度取得ステップによる測定結果に基づき、所定期間内の温度変化の大きさが閾値より小さい発光ブロックに対応する表示パネル内の領域に、前記キャリブレーション用のパッチ画像を表示するためのパッチ画像表示領域を設定する請求項９に記載の画像表示装置の制御方法。
【請求項１１】
前記設定ステップでは、前記温度取得ステップによる測定結果に基づき、所定の基準温度との差異が閾値より小さい発光ブロックに対応する表示パネル内の領域に、前記キャリブレーション用のパッチ画像を表示するためのパッチ画像表示領域を設定する請求項９に記載の画像表示装置の制御方法。
【請求項１２】
前記設定ステップでは、前記パネル測定手段による予め定められた測定対象領域に含まれる領域内に、キャリブレーション用のパッチ画像を表示するためのパッチ画像表示領域を設定する請求項９〜１１のいずれか１項に記載の画像表示装置の制御方法。
【請求項１３】
前記設定ステップでは、表示パネルの中央部に近い所定領域内にパッチ画像表示領域を設定する請求項９〜１１のいずれか１項に記載の画像表示装置の制御方法。
【請求項１４】
前記生成ステップでは、前記設定ステップにより設定されたパッチ画像表示領域の大き
さに応じて、生成するパッチ画像の大きさを調整する請求項９〜１３のいずれか１項に記載の画像表示装置の制御方法。
【請求項１５】
前記複数の発光ブロックの各々の発光強度を調整する発光強度調整ステップと、
所定期間内の温度変化の大きさが閾値以上の発光ブロックを特定する特定ステップと、を有し、
前記発光強度調整ステップでは、前記キャリブレーションステップによるキャリブレーションの実行時に、前記特定ステップにより特定された発光ブロックの温度と基準温度との差異が小さくなるように、当該発光ブロックの発光強度を調整する請求項１０に記載の画像表示装置の制御方法。
【請求項１６】
前記複数の発光ブロックの各々の発光強度を調整する発光強度調整ステップと、
前記温度測定手段により測定される温度と基準温度との差異が閾値以上の発光ブロックを特定する特定ステップと、
を有し、
前記発光強度調整ステップでは、前記キャリブレーションステップによるキャリブレーションの実行時に、前記特定ステップにより特定された発光ブロックの温度と基準温度との差異が小さくなるように、当該発光ブロックの発光強度を調整する請求項１１に記載の画像表示装置の制御方法。
【請求項１７】
画像表示装置と、画像表示装置のキャリブレーションを行うキャリブレーション装置と、を有する画像表示システムであって、
前記画像表示装置は、
複数の発光ブロックを有するバックライトと、
入力する画像データに応じてバックライトからの照射光の透過率を画素毎に変更することで画像データに基づく画像を表示する表示パネルと、
前記バックライトの複数の位置における温度を測定する複数の温度測定手段と、
を有し、
前記キャリブレーション装置は、
前記複数の温度測定手段による測定結果に基づき、キャリブレーション用のパッチ画像を表示するためのパッチ画像表示領域を設定する設定手段と、
前記設定手段により設定されたパッチ画像表示領域に表示するパッチ画像を生成する生成手段と、
前記生成手段により生成されたパッチ画像を表示した場合における、前記表示パネルの輝度又は色度を測定するパネル測定手段による測定結果に基づき、前記表示パネルのキャリブレーションを行うキャリブレーション手段と、
を有することを特徴とする画像表示システム。
【手続補正２】
【補正対象書類名】明細書
【補正対象項目名】００１１
【補正方法】変更
【補正の内容】
【００１１】
本発明は、複数の発光ブロックを有するバックライトと、
入力する画像データに応じてバックライトからの照射光の透過率を画素毎に変更することで画像データに基づく画像を表示する表示パネルと、
前記バックライトの複数の位置における温度を測定する複数の温度測定手段と、
前記複数の温度測定手段による測定結果に基づき、キャリブレーション用のパッチ画像を表示するためのパッチ画像表示領域を設定する設定手段と、
前記設定手段により設定されたパッチ画像表示領域に表示するパッチ画像を生成する生
成手段と、
前記生成手段により生成されたパッチ画像を表示した場合における、前記表示パネルの輝度又は色度を測定するパネル測定手段による測定結果に基づき、前記表示パネルのキャリブレーションを行うキャリブレーション手段と、
を有ることを特徴とする画像表示装置である。
【手続補正３】
【補正対象書類名】明細書
【補正対象項目名】００１２
【補正方法】変更
【補正の内容】
【００１２】
本発明は、複数の発光ブロックを有するバックライトと、
入力する画像データに応じてバックライトからの照射光の透過率を画素毎に変更することで画像データに基づく画像を表示する表示パネルと、
を有する画像表示装置の制御方法であって、
前記バックライトの複数の位置における温度を取得する温度取得ステップと、
前記取得ステップで取得された温度に基づき、キャリブレーション用のパッチ画像を表示するためのパッチ画像表示領域を設定する設定ステップと、
前記設定されたパッチ画像表示領域に表示するパッチ画像を生成する生成ステップと、
前記生成ステップで生成されたパッチ画像を表示した場合における、前記表示パネルの輝度又は色度を測定するパネル測定手段による測定結果に基づき、前記表示パネルのキャリブレーションを行うキャリブレーションステップと、
を有することを特徴とする画像表示装置の制御方法である。
【手続補正４】
【補正対象書類名】明細書
【補正対象項目名】００１３
【補正方法】変更
【補正の内容】
【００１３】
本発明は、画像表示装置と、画像表示装置のキャリブレーションを行うキャリブレーション装置と、を有する画像表示システムであって、
前記画像表示装置は、
複数の発光ブロックを有するバックライトと、
入力する画像データに応じてバックライトからの照射光の透過率を画素毎に変更することで画像データに基づく画像を表示する表示パネルと、
前記バックライトの複数の位置における温度を測定する複数の温度測定手段と、
を有し、
前記キャリブレーション装置は、
前記複数の温度測定手段による測定結果に基づき、キャリブレーション用のパッチ画像を表示するためのパッチ画像表示領域を設定する設定手段と、
前記設定手段により設定されたパッチ画像表示領域に表示するパッチ画像を生成する生成手段と、
前記生成手段により生成されたパッチ画像を表示した場合における、前記表示パネルの輝度又は色度を測定するパネル測定手段による測定結果に基づき、前記表示パネルのキャリブレーションを行うキャリブレーション手段と、
を有することを特徴とする画像表示システムである。